(57)【特許請求の範囲】
【請求項１】
受信信号に含まれるパイロットに対し複数のインタリーブパターンを用いてデインタリーブを施し、得られる複数信号の品質を比較することにより、最良の品質に対応するインタリーブパターンを選択し、当該インタリーブパターンに関する情報を無線送信装置にフィードバックする無線受信装置と、
フィードバックされた前記情報に従って前記無線受信装置宛てのデータをインタリーブし、送信する無線送信装置と、
を有する無線通信システム。
【請求項２】
レピティションシンボルのインタリーブに用いるインタリーブパターンを制御するインタリーブパターン制御装置であって、
前記インタリーブパターンの候補に従ってデインタリーブされたパイロット信号のレピティション合成結果の信号品質を取得する取得手段と、
取得された信号品質に基づいて前記インタリーブパターンを決定する決定手段と、
を有するインタリーブパターン制御装置。
【請求項３】
前記取得手段は、
信号対雑音電力比の平均値を前記信号品質として取得し、
前記決定手段は、
前記信号対雑音電力比の平均値に基づいて前記インタリーブパターンを決定する、
請求項２記載のインタリーブパターン制御装置。
【請求項４】
前記取得手段は、
前記インタリーブパターンの第１の候補に従ってデインタリーブされたパイロット信号のレピティション合成結果の信号対雑音電力比の平均値を第１の値として取得するとともに、前記インタリーブパターンの第２の候補に従ってデインタリーブされたパイロット信号のレピティション合成結果の信号対雑音電力比の平均値を第２の値として取得し、
前記決定手段は、
前記第１の値および前記第２の値のうちより大きい値を選択し、前記第１の候補および前記第２の候補のうち選択された値に対応する候補を前記インタリーブパターンとして選択する、
請求項３記載のインタリーブパターン制御装置。
【請求項５】
前記取得手段は、
信号対雑音電力比の分布の分散値を前記信号品質として取得し、
前記決定手段は、
前記信号対雑音電力比の分布の分散値に基づいて前記インタリーブパターンを決定する、
請求項２記載のインタリーブパターン制御装置。
【請求項６】
前記取得手段は、
前記インタリーブパターンの第１の候補に従ってデインタリーブされたパイロット信号のレピティション合成結果の信号対雑音電力比の分布の分散値を第１の値として取得するとともに、前記インタリーブパターンの第２の候補に従ってデインタリーブされたパイロット信号のレピティション合成結果の信号対雑音電力比の分布の分散値を第２の値として取得し、
前記決定手段は、
前記第１の値および前記第２の値のうちより小さい値を選択し、前記第１の候補および前記第２の候補のうち選択された値に対応する候補を前記インタリーブパターンとして選択する、
請求項５記載のインタリーブパターン制御装置。
【請求項７】
前記取得手段は、
信号対雑音電力比の平均値および信号対雑音電力比の分布の分散値をそれぞれ前記信号品質として取得し、
前記決定手段は、
前記パイロット信号を含む受信信号の干渉成分が所定レベル以下の場合は、前記信号対雑音電力比の平均値に基づいて前記インタリーブパターンを決定し、前記干渉成分が前記所定レベル以上の場合は、前記信号対雑音電力比の分布の分散値に基づいて前記インタリーブパターンを決定する、
請求項２記載のインタリーブパターン制御装置。
【請求項８】
前記取得手段は、
信号対雑音電力比の平均値および信号対雑音電力比の分布の分散値をそれぞれ前記信号品質として取得し、
前記決定手段は、
前記パイロット信号を受信または送信する移動局装置の移動速度が所定値以下の場合は、前記信号対雑音電力比の平均値に基づいて前記インタリーブパターンを決定し、前記移動速度が前記所定値以上の場合は、前記信号対雑音電力比の分布の分散値に基づいて前記インタリーブパターンを決定する、
請求項２記載のインタリーブパターン制御装置。
【請求項９】
レピティションシンボルのインタリーブに用いるインタリーブパターンを制御する無線受信装置であって、
パイロット信号と、予め決められたインタリーブパターンに従ってインタリーブされ且つ前記レピティションシンボルと異なる他のレピティションシンボルと、が多重された信号を受信する受信手段と、
前記予め決められたインタリーブパターンに従って前記他のレピティションシンボルをデインタリーブする第１のデインタリーブ手段と、
前記インタリーブパターンの候補に従って前記パイロット信号をデインタリーブする第２のデインタリーブ手段と、
前記予め決められたインタリーブパターンに従ってデインタリーブされた前記他のレピティションシンボルに対してレピティション合成を施す第１の合成手段と、
前記インタリーブパターンの候補に従ってデインタリーブされた前記パイロット信号に対してレピティション合成を施す第２の合成手段と、
レピティション合成を施された前記パイロット信号の信号品質を算出する算出手段と、  算出された信号品質に基づいて前記インタリーブパターンを決定する決定手段と、
を有する無線受信装置。
【請求項１０】
前記決定手段は、
前記インタリーブパターンを前記第１のデインタリーブ手段に通知し、
前記受信手段は、
前記インタリーブパターンに従ってインタリーブされた前記レピティションシンボルを受信し、
前記第１のデインタリーブ手段は、
前記決定手段から通知された前記インタリーブパターンに従って前記レピティションシンボルをデインタリーブする、
請求項９記載の無線受信装置。
【請求項１１】
前記決定手段は、
前記インタリーブパターンの識別情報を通信相手に通知し、
前記受信手段は、
前記インタリーブパターンに従ってインタリーブされた前記レピティションシンボルを前記通信相手から受信する、
請求項９記載の無線受信装置。
【請求項１２】
請求項９記載の無線受信装置を有する通信端末装置。
【請求項１３】
請求項９記載の無線受信装置を有する基地局装置。
【請求項１４】
レピティションシンボルのインタリーブに用いるインタリーブパターンを制御するインタリーブパターン制御方法であって、
前記インタリーブパターンの候補に従ってデインタリーブされたパイロット信号のレピティション合成結果の信号品質を取得する取得ステップと、
取得された信号品質に基づいて前記インタリーブパターンを決定する決定ステップと、  を有するインタリーブパターン制御方法。
【請求項１５】
レピティションシンボルのインタリーブに用いるインタリーブパターンを制御する無線受信方法であって、
パイロット信号と、予め決められたインタリーブパターンに従ってインタリーブされ且つ前記レピティションシンボルと異なる他のレピティションシンボルと、が多重された信号を受信する受信ステップと、
前記予め決められたインタリーブパターンに従って前記他のレピティションシンボルをデインタリーブする第１のデインタリーブステップと、
前記インタリーブパターンの候補に従って前記パイロット信号をデインタリーブする第２のデインタリーブステップと、
前記予め決められたインタリーブパターンに従ってデインタリーブされた前記他のレピティションシンボルに対してレピティション合成を施す第１の合成ステップと、
前記インタリーブパターンの候補に従ってデインタリーブされた前記パイロット信号に対してレピティション合成を施す第２の合成ステップと、
レピティション合成を施された前記パイロット信号の信号品質を算出する算出ステップと、
算出された信号品質に基づいて前記インタリーブパターンを決定する決定ステップと、  を有する無線受信方法。
【発明の詳細な説明】
【技術分野】
【０００１】
本発明は、ＯＦＤＭ（Orthogonal Frequency Division Multiplexing）等の方式を適用した無線通信システムにおいて用いられるインタリーブパターン制御装置およびインタリーブパターン制御方法に関する。
【背景技術】
【０００２】
近年、無線通信、特に移動体通信では、音声だけでなく画像などの様々なデータが伝送の対象物となっている。伝送対象物の多様化に伴い、データを高速で伝送する技術の実現が求められている。
【０００３】
マルチキャリア伝送方式の１つであるＯＦＤＭは、前述の要求に応え得る伝送方式として注目されている。ＯＦＤＭ方式を適用した無線通信システムの一例では、送信側から、データシンボルの複製（以下「レピティション」と言う）によって生成された複数の同じデータシンボル（以下「レピティションシンボル」と言う）を、例えば周波数軸方向に（つまり複数のサブキャリアに）または時間軸方向に配置して送信し、受信側で、それらのレピティションシンボルを合成（例えば最大比合成）することがある（以下の説明では、このような処理を伴う通信方式を「レピティションＯＦＤＭ」と言う）。レピティションＯＦＤＭではレピティションシンボルの合成によってダイバーシチゲインが得られるため、データの受信品質（例えば、ＳＮＲ：Signal to Noise Ratio、ＳＩＲ：Signal to Interference Ratio、など）を通常の（つまり、レピティションが行われない）ＯＦＤＭ方式に比べて改善することができる。
【０００４】
また、高速伝送実現のための他のアプローチとしては、インタリーブ技術の導入が挙げられる。インタリーブ技術の導入は、フェージング伝搬路環境下での受信誤り率の低減に寄与することが一般に知られている。一例としては、データの位置ごとの受信品質に応じて適応的にインタリーブパターンを変更するというインタリーブパターン制御方法が、提案されている（例えば、特許文献１参照）。
【特許文献１】特開２００４−３２７１２号公報
【発明の開示】
【発明が解決しようとする課題】
【０００５】
しかしながら、上記従来のインタリーブパターン制御方法をレピティションＯＦＤＭの無線通信に単純に適用して、シンボル合成によるダイバーシチゲインを考慮に入れずにインタリーブパターンを選択した場合、かえってダイバーシチゲインを低減させるおそれがあるため、上記方法では受信誤り率の低減に一定の限界がある。
【０００６】
本発明の目的は、受信誤り率を低減することができる無線通信システム、インタリーブパターン制御装置およびインタリーブパターン制御方法を提供することである。
【課題を解決するための手段】
【０００７】
本発明の無線通信システムは、受信信号に含まれるパイロットに対し複数のインタリーブパターンを用いてデインタリーブを施し、得られる複数信号の品質を比較することにより、最良の品質に対応するインタリーブパターンを選択し、当該インタリーブパターンに関する情報を無線送信装置にフィードバックする無線受信装置と、フィードバックされた前記情報に従って前記無線受信装置宛てのデータをインタリーブし、送信する無線送信装置と、を有する構成を採る。
【０００８】
本発明のインタリーブパターン制御装置は、レピティションシンボルのインタリーブに用いるインタリーブパターンを制御するインタリーブパターン制御装置であって、前記インタリーブパターンの候補に従ってデインタリーブされたパイロット信号のレピティション合成結果の信号品質を取得する取得手段と、取得された信号品質に基づいて前記インタリーブパターンを決定する決定手段と、を有する構成を採る。
【０００９】
本発明の無線受信装置は、レピティションシンボルのインタリーブに用いるインタリーブパターンを制御する無線受信装置であって、パイロット信号と、予め決められたインタリーブパターンに従ってインタリーブされ且つ前記レピティションシンボルと異なる他のレピティションシンボルと、が多重された信号を受信する受信手段と、前記予め決められたインタリーブパターンに従って前記他のレピティションシンボルをデインタリーブする第１のデインタリーブ手段と、前記インタリーブパターンの候補に従って前記パイロット信号をデインタリーブする第２のデインタリーブ手段と、前記予め決められたインタリーブパターンに従ってデインタリーブされた前記他のレピティションシンボルに対してレピティション合成を施す第１の合成手段と、前記インタリーブパターンの候補に従ってデインタリーブされた前記パイロット信号に対してレピティション合成を施す第２の合成手段と、レピティション合成を施された前記パイロット信号の信号品質を算出する算出手段と、算出された信号品質に基づいて前記インタリーブパターンを決定する決定手段と、を有する構成を採る。
【発明の効果】
【００１０】
本発明によれば、受信誤り率を低減することができる。
【発明を実施するための最良の形態】
【００１１】
以下、本発明の実施の形態について、図面を用いて詳細に説明する。
【００１２】
図１は、本発明の一実施の形態に係る無線受信装置を備えた移動局装置（以下「移動局」と言う）の構成を示すブロック図である。
【００１３】
図１の移動局１００は、アンテナ１０１、無線受信部１０２、ＧＩ（Guard Interval）削除部１０３、ＦＦＴ（Fast Fourier Transform）部１０４、分離部１０５、インタリーバ選択部１０６、スイッチ部１０７、Ｎ個（Ｎは２以上の整数）のデインタリーバ１０８−１、１０８−２、…、１０８−Ｎ、レピティション合成部１０９、復調部１１０、復号化部１１１、多重部１１２、符号化部１１３、変調部１１４、シリアルパラレル変換（Ｓ／Ｐ）部１１５、ＩＦＦＴ（Inverse Fast Fourier Transform）部１１６、ＧＩ付加部１１７および無線送信部１１８を有する。
【００１４】
無線受信部１０２は、後述する基地局装置（以下「基地局」と言う）１５０から送信された下り回線信号をアンテナ１０１で受信し、受信した下り回線信号に対して所定の受信無線処理（例えば、ダウンコンバート、Ａ／Ｄ変換などを含む）を施す。受信無線処理後
の下り回線信号はＧＩ削除部１０３に出力される。
【００１５】
ＧＩ削除部１０３は、無線受信部１０２から入力された下り回線信号の所定位置に付加されたＧＩを削除する。ＧＩ削除後の下り回線信号はＦＦＴ部１０４に出力される。
【００１６】
ＦＦＴ部１０４は、ＧＩ削除部１０３から入力された下り回線信号に対してＦＦＴ処理を施す。ＦＦＴ部１０４でのＦＦＴ処理によって、下り回線信号から多重信号が取得される。なお、多重信号＃ｍ（ｍは１からＭ（Ｍは２以上の整数）までの任意の整数）は、パイロット信号（以下「パイロット」と言う）と複数のレピティションシンボルとが多重された信号であり、ｍ番目のサブバンドに割り当てられた信号である。取得された多重信号＃ｍは分離部１０５に出力される。
【００１７】
分離部１０５は、多重信号＃ｍから、パイロット信号Ｓ１と複数のレピティションシンボルとを分離する。パイロットＳ１は、インタリーバ選択部１０６に出力される。複数のレピティションシンボルは、スイッチ部１０７を介して、デインタリーバ１０８−１〜１０８−Ｎの中のいずれかに出力される。
【００１８】
スイッチ部１０７には、インタリーバ１０８−１〜１０８−Ｎの中のいずれかのインタリーブパターンの識別情報（インタリーブパターン番号）が、インタリーバ選択部１０６から通知される。スイッチ部１０７は、通知されたインタリーブパターン番号に対応するインタリーバの入力端と、分離部１０５の出力端と、を接続する。
【００１９】
デインタリーバ１０８−１〜１０８−Ｎは、それぞれ固有のインタリーブパターン＃１〜＃Ｎに対応している。デインタリーバ１０８−ｎ（ｎは１からＮまでの任意の整数）は、分離部１０５から入力された複数のレピティションシンボルを、対応するインタリーブパターン＃ｎに従ってデインタリーブする。デインタリーブされた複数のレピティションシンボルはレピティション合成部１０９に出力される。スイッチ部１０７およびデインタリーバ１０８−１〜１０８−Ｎの組み合わせは第１のデインタリーブ手段を構成する。
【００２０】
第１の合成手段としてのレピティション合成部１０９は、デインタリーバ１０８−ｎから入力された複数のレピティションシンボルに対してレピティション合成を施す。このレピティション合成の結果は、復調部１１０によって復調され、そして、復号化部１１１によって復号され、そして、受信データ＃ｍとして出力される。
【００２１】
本実施の形態に係るインタリーブパターン制御装置としてのインタリーバ選択部１０６は、自装置つまり移動局１００宛てに送信される複数のレピティションシンボルのインタリーブに用いるインタリーブパターンを制御するための機能ブロックである。インタリーバ選択部１０６は、使用するインタリーブパターンを、分離部１０５から入力されたパイロットＳ１を用いて決定する。そして、決定されたインタリーブパターンの識別情報信号Ｓ２（具体的には、＃１、＃２、…、＃ｎ）を、多重部１１２に出力するとともに、識別情報信号Ｓ２を所定時間遅延させた識別情報信号Ｓ３をスイッチ部１０７に通知する。なお、インタリーブパターンを決定するための手順およびその構成については後述する。
【００２２】
多重部１１２は、インタリーバ選択部１０６から入力された識別情報Ｓ２を送信データ＃ｍに多重する。識別情報が多重された送信データ＃ｍは、符号化部１１３によって符号化され、そして、変調部１１４によって変調され、そして、Ｓ／Ｐ部１１５に出力される。
【００２３】
Ｓ／Ｐ部１１５は、変調部１１４から入力された送信データ＃ｍをシリアルパラレル変換する。ＩＦＦＴ部１１６は、シリアルパラレル変換後の送信データ＃ｍに対してＩＦＦ
Ｔ処理を施す。ＧＩ付加部１１７は、ＩＦＦＴ処理後の送信データ＃ｍの所定位置にＧＩを付加する。無線送信部１１８は、ＧＩ付加後の送信データ＃ｍに対して所定の送信無線処理（例えば、Ｄ／Ａ変換、アップコンバートなど）を施し、送信無線処理後の送信データ＃ｍをアンテナ１０１から基地局１５０宛てに送信する。
【００２４】
ここで、インタリーバ選択部１０６の内部構成およびその動作について説明する。図２は、インタリーバ選択部１０６の内部構成を示すブロック図である。インタリーバ選択部１０６は、Ｎ個のデインタリーバ１２１−１、１２１−２、…、１２１−Ｎ、Ｎ個のレピティション合成部１２２−１、１２２−２、…、１２２−Ｎ、Ｎ個の算出部１２３−１、１２３−２、…、１２３−Ｎ、パターン決定部１２４およびバッファ１２５を有する。なお、デインタリーバ１２１−ｎ、レピティション合成部１２２−ｎおよび算出部１２３−ｎの組み合わせは、インタリーブパターン＃ｎに対応している。
【００２５】
第２のインタリーブ手段としてのデインタリーバ１２１−ｎは、分離部１０５から入力されたパイロットＳ１を、インタリーブパターン＃ｎに従ってデインタリーブする。デインタリーバ１２１−ｎでは、インタリーブパターン＃ｎは、後送されるレピティションシンボルのインタリーブに用いるインタリーブパターンの候補として用いられる。デインタリーバ１２１−ｎによってデインタリーブされたパイロットはレピティション合成部１２２−ｎに出力される。
【００２６】
第２の合成手段としてのレピティション合成部１２２−ｎは、デインタリーバ１２１−ｎから入力されたパイロットに対してレピティション合成を施す。レピティション合成を施されたパイロットは算出部１２３−ｎに出力される。
【００２７】
取得手段としての算出部１２３−ｎは、レピティション合成部１２２−ｎから入力されたパイロットの信号品質を、レピティション合成の効果を判断しインタリーブパターンを選択するための選択基準として、算出する。算出された信号品質は、パターン決定部１２４に出力される。
【００２８】
算出される信号品質としては、例えば、平均ＳＮＲ（信号対雑音電力比：Signal to Noise Power Ratio）、ＳＮＲの分布における分散値、などが挙げられる。平均ＳＮＲが採用される場合、算出部１２３−１〜１２３−Ｎは、図３に示すように、レピティション合成後のパイロットを用いて、平均ＳＮＲを各インタリーブパターン番号（つまりインタリーブパターンの識別情報）に対応付けて算出する。ＳＮＲ分布の分散値が採用される場合、算出部１２３−１〜１２３−Ｎは、図４に示すように、レピティション合成後のパイロットを用いて、ＳＮＲ分布の分散値を各インタリーブパターンに対応付けて算出する。
【００２９】
なお、選択基準は上記の２つに限定されるものではなく、レピティション合成の効果を示すことができる任意の信号品質を採用することができる。また、複数種類の信号品質の組み合わせを選択基準として算出しても良い。例えば、算出部１２３−ｎは、平均ＳＮＲおよびＳＮＲ分布の分散値の両方を算出してパターン決定部１２４に出力しても良い。
【００３０】
パターン決定部１２４は、後送されるレピティションシンボルのインタリーブに用いるインタリーブパターンを、Ｎ個のインタリーブパターン＃１〜＃Ｎの中のいずれかを選択することにより決定する。パターン決定部１２４は、インタリーブパターン選択基準として算出された信号品質を用いる。つまり、パターン決定部１２４は、算出部１２３−１〜１２３−Ｎから入力された信号品質＃１〜＃Ｎを相互比較し、その比較結果に基づいて、インタリーブパターン＃１〜＃Ｎの中から最適なインタリーブパターンを選択する。
【００３１】
平均ＳＮＲが選択基準として採用される場合、パターン決定部１２４は、インタリーブ
パターン＃１〜＃Ｎの中でレピティション合成後信号の平均ＳＮＲが最も大きいインタリーブパターンを選択する。例えば、図３を参照すると、インタリーブパターン＃１、＃２、＃３、…、＃Ｎについての各平均ＳＮＲの中で、インタリーブパターン＃２についての平均ＳＮＲが、その他全てのインタリーブパターンについての各平均ＳＮＲよりも大きな値を有している。したがって、インタリーブパターン＃２を用いると最大のダイバーシチ効果を得ることができるので、インタリーブパターン＃２が最適なインタリーブパターンとして選択される。
【００３２】
ＳＮＲ分布の分散値が選択基準として採用される場合、パターン決定部１２４は、インタリーブパターン＃１〜＃Ｎの中でレピティション合成後信号の分散値が最も小さいインタリーブパターンを選択する。例えば、図４を参照すると、インタリーブパターン＃１、＃２、＃３、…、＃Ｎについての各分散値の中で、インタリーブパターン＃１についての分散値が、その他全てのインタリーブパターンについての各分散値よりも小さな値を有している。したがって、インタリーブパターン＃１を用いるとフェージング変動が最大にランダム化することができるので、インタリーブパターン＃１が最適なインタリーブパターンとして選択される。
【００３３】
また、パターン決定部１２４は、選択されたインタリーブパターンの識別情報Ｓ２（具体的には、＃１、＃２、…、＃ｎ）を、多重部１１２に出力する。これによって、識別情報Ｓ２は、多重部１１２から無線送信部１１８までの送信系を介して基地局１５０に通知される。このようにインタリーブパターンの識別情報を基地局１５０に通知することにより、上り回線のフィードバック情報量を最小限に抑えることができる。
【００３４】
また、パターン決定部１２４は、選択されたインタリーブパターンの識別情報Ｓ２を、バッファ１２５に出力する。バッファ１２５は、処理時間に応じて１フレーム時間分あるいは数フレーム時間分の識別情報を保持する。バッファ１２５に入力された識別情報は所定期間（つまり１フレーム時間または数フレーム時間）だけバッファ１２５に保持されてから識別情報Ｓ３としてスイッチ部１０７に出力される。これによって、識別情報Ｓ３が、スイッチ部１０７およびデインタリーバ１０８−ｎから成る第１のデインタリーブ手段に通知される。このようにインタリーブパターンの識別情報を第１のデインタリーブ手段に通知することにより、下り回線でインタリーブパターンをシグナリングする必要がなくなり、下り回線の伝送効率を向上させることができる。
【００３５】
また、バッファ１２５に入力された識別情報Ｓ２は所定時間だけバッファ１２５に保持されてから識別情報Ｓ３としてスイッチ部１０７に出力されるため、第１のインタリーブ手段としてのデインタリーバ１０８−ｎは、デインタリーブを実行するタイミングよりも所定時間だけ前に決められたインタリーブパターン＃ｎに従って、デインタリーブを実行する。このように、第１のインタリーブ手段の処理と第２のインタリーブ手段の処理とを互いに独立に実行させることにより、インタリーブパターンの制御を精度良く且つ追従性良く実行することができる。
【００３６】
なお、平均ＳＮＲおよびＳＮＲ分布の分散値の両方が算出部１２３−ｎで算出されパターン決定部１２４に入力される場合、パターン決定部１２４は、通信環境に応じて、選択基準を平均ＳＮＲとＳＮＲ分布の分散値との間で切り替えることができる。
【００３７】
例えば、選択基準は、他セルからの干渉の大きさに応じて切り替えられる。移動局１００が孤立セルに在圏している場合、移動局１００宛ての下り回線信号に対する他セル（周辺セル）からの干渉は比較的小さい。この場合は、レピティション合成によるダイバーシチゲイン向上効果の大きさに着目する。一方、下り回線信号に対する他セルからの干渉が比較的大きい場合は、レピティション合成による干渉抑圧効果の大きさに着目する必要が
ある。したがって、パターン決定部１２４は、下り回線信号の干渉成分が所定レベル以上であるか否かを、分散値の大小を判定することによって判断する。干渉成分が所定レベルを超過しない場合は、平均ＳＮＲを選択基準として用い、干渉成分が所定レベルを超過する場合は、ＳＮＲ分布の分散値を選択基準として用いる。
【００３８】
あるいは、パターン決定部１２４は、移動局１００の移動速度に応じて選択基準を切り替えても良い。移動速度が所定値を超過しない場合は、平均ＳＮＲを選択基準として用い、移動速度が所定値を超過する場合は、分散値を選択基準として用いる。
【００３９】
次いで、基地局１５０の構成について説明する。図５に示す基地局１５０は、アンテナ１５１、無線受信部１５２、ＧＩ削除部１５３、ＦＦＴ部１５４、分離部１５５、Ｍ個の復調部１５６−１、１５６−２、…、１５６−Ｍ、Ｍ個の復号化部１５７−１、１５７−２、…、１５７−Ｍ、Ｍ個の符号化部１５８−１、１５８−２、…、１５８−Ｍ、Ｍ個の変調部１５９−１、１５９−２、…、１５９−Ｍ、Ｍ個のレピティション部１６０−１、１６０−２、…、１６０−Ｍ、Ｍ個のスイッチ部１６１−１、１６１−２、…、１６１−Ｍ、Ｍ×Ｎ個のインタリーバ１６２−１１、…、インタリーバ１６２−ＭＮ、Ｍ個の多重部１６３−１、１６３−２、…、１６３−Ｍ、ＩＦＦＴ部１６４、ＧＩ付加部１６５および無線送信部１６６を有する。
【００４０】
基地局１５０は、ＯＦＤＭＡ（Orthogonal Frequency Division Multiple Access）方式の移動体通信システムにおいて用いられ、最大で同時にＭ個の移動局１００と無線通信を行うことができる。以下の説明では、各移動局１００を「ユーザ」と称し、ｍ番目のサブバンドに割り当てられるユーザを「ユーザ＃ｍ」と称す。
【００４１】
基地局１５０において、無線受信部１５２は、ユーザ＃ｍから送信された信号が多重された多重信号を受信する。そして、受信した多重信号に対して所定の受信無線処理（ダウンコンバート、Ａ／Ｄ変換など）を施す。受信無線処理後の多重信号はＧＩ削除部１５３に出力される。
【００４２】
ＧＩ削除部１５３は、無線受信部１５２から入力された多重信号の所定位置に付加されているＧＩを削除する。ＧＩ削除後の多重信号はＦＦＴ部１５４に出力される。
【００４３】
ＦＦＴ部１５４は、ＧＩ削除部１５３から入力された多重信号に対してＦＦＴ処理を施す。ＦＦＴ処理後の多重信号は分離部１５５に出力される。
【００４４】
分離部１５５は、ＦＦＴ部１５４から入力された多重信号を分離して、各ユーザ＃ｍから送信されたデータ＃ｍを得る。データ＃ｍは復調部１５６−ｍに入力される。
【００４５】
復調部１５６−ｍは、分離部１５５から入力されたデータ＃ｍを復調し、復号化部１５７は、復調されたデータ＃ｍを復号する。復号されたデータ＃ｍは受信データ＃ｍとして出力される。また、ユーザ＃ｍにて決定されたインタリーブパターンの識別情報（インタリーブパターン番号）が受信データ＃ｍに含まれている場合、インタリーブパターン番号はスイッチ部１６１−ｍに出力される。
【００４６】
符号化部１５８−ｍは、ユーザ＃ｍ宛ての送信データ＃ｍを符号化する。変調部１５９−ｍは、符号化部１５８−ｍによって符号化された送信データ＃ｍを変調する。変調された送信データ＃ｍは、データシンボルの系列から成る。
【００４７】
レピティション部１６０−ｍは、変調された送信データ＃ｍを、固定または可変のレピティション数に従って、送信データ＃ｍを成す各データシンボルに対してレピティション
を施す。例えばレピティション数「２」に従ってレピティションを施されたデータシンボルは、２個のレピティションシンボルとなり、例えばレピティション数「１６」に従ってレピティションを施されたデータシンボルは、１６個のレピティションシンボルとなる。したがって、レピティションを施された送信データ＃ｍは、複数のレピティションシンボルを含むシンボル群として出力される。複数のレピティションシンボルは、スイッチ部１６１−ｍを介して、インタリーバ１６２−ｍ１〜１６２−ｍＮの中のいずれかに出力される。
【００４８】
スイッチ部１６１−ｍには、インタリーバ１６２−ｍ１〜１６２−ｍＮの中のいずれかのインタリーブパターンの識別情報（インタリーブパターン番号）が、復号化部１５７−ｍから入力される。スイッチ部１６１−ｍは、入力されたインタリーブパターン番号に対応するインタリーバの入力端と、レピティション部１６０−ｍの出力端と、を接続する。
【００４９】
インタリーバ１６２−ｍｎは、固有のインタリーブパターン＃ｎに対応している。インタリーバ１６２−ｍｎは、レピティション部１６０−ｍから入力された複数のレピティションシンボルを、対応するインタリーブパターン＃ｎに従ってインタリーブする。インタリーブされたレピティションシンボルは多重部１６３−ｍに出力される。
【００５０】
多重部１６３−ｍでは、インタリーバ１６２−ｍｎから入力された複数のレピティションシンボルを含む送信データ＃ｍが、パイロットとともに、無線フレーム内に多重される。多重部１６３−ｍによって多重された送信データ＃ｍは、ＩＦＦＴ部１６４に出力される。
【００５１】
ＩＦＦＴ部１６４は、多重部１６３−１〜１６３−Ｍから入力された送信データ＃１〜＃Ｍをまとめて逆フーリエ変換する。これによって、ユーザ＃１〜＃Ｍが図６に示すように周波数多重されたユーザ多重信号が生成される。
【００５２】
ＧＩ付加部１６５は、生成されたユーザ多重信号の所定位置にＧＩを付加する。ＧＩ付加後のユーザ多重信号は無線送信部１６６に出力される。
【００５３】
無線送信部１６６は、ＧＩ付加部１６５から入力されたユーザ多重信号に対して所定の送信無線処理を施す。そして、送信無線処理後のユーザ多重信号を下り回線信号としてアンテナ１５１から各ユーザ＃ｍに対して送信する。
【００５４】
このように、本実施の形態によれば、インタリーブパターンの候補に従ってデインタリーブされたパイロットのレピティション合成結果の信号品質に基づいてインタリーブパターンを決定するため、バースト誤りを回避し且つレピティション合成によるダイバーシチ効果が最大となるインタリーブパターンを選択することができ、データの受信誤り率を低減することができる。
【００５５】
また、以上の構成において、本実施の形態に係る無線受信装置は、受信信号全体（データも含む）に対してデインタリーブを施すのではなく、受信信号に含まれるパイロット信号に対して複数のインタリーブパターンによるデインタリーブを施す。そして、デインタリーブ後の複数の信号の受信品質を比較することにより、最良のインタリーブパターンを選択する。すなわち、無線送信装置は、複数のインタリーブパターンを用いてインタリーブした複数の信号を用意し、これら複数の信号を無線受信装置に送信する必要がない。
【００５６】
また、本実施の形態では、本発明のインタリーブパターン制御が、複数ユーザを周波数で多重するＯＦＤＭＡ方式のシステムに適用されている。つまり、各ユーザは、細分化された周波数帯に割り当てられる。このようなシステムでは、広帯域にユーザが割り当てら
れるシステムの場合と比較して、各ユーザにおける伝搬路の変動パターンの自由度が減少する。換言すれば、インタリーブ効果のインタリーブパターンへの依存度が大きくなる。したがって、本発明のインタリーブパターン制御により実現される利点は、ＯＦＤＭＡ方式のシステムにおいて特に顕著である。ただし、本発明のインタリーブパターン制御を適用可能なシステムはＯＦＤＭＡ方式のみに限定されない。
【００５７】
なお、本発明のインタリーブパターン制御を実現するインタリーブパターン制御装置は、移動局１００に設けられている。ただし、インタリーブパターン制御装置を基地局に設けても上記と同様の作用効果を実現することができる。この場合、例えば、各インタリーブパターン候補に対応する信号品質が各ユーザから基地局にフィードバックされ、基地局で、最適なインタリーブパターンが選択される。
【００５８】
また、上記実施の形態において、インタリーブパターンを選択するための信号品質の一例として、レピティション合成後の受信ＳＮＲを用いる場合を例にとって説明したが、これに限定されず、合成後のＣＩＲ、合成後のＳＩＲ、合成後のＳＩＮＲ、合成後のＣＩＮＲ、合成後の電力、合成後の干渉電力等を用いて推定を行っても良い。
【００５９】
また、上記実施の形態における基地局はNode B、移動局はUE、サブキャリアはトーン（Tone）と表されることがある。
【００６０】
また、上記実施の形態の説明に用いた各機能ブロックは、典型的には集積回路であるＬＳＩとして実現される。これらは個別に１チップ化されても良いし、一部又は全てを含むように１チップ化されても良い。
【００６１】
ここでは、ＬＳＩとしたが、集積度の違いにより、ＩＣ、システムＬＳＩ、スーパーＬＳＩ、ウルトラＬＳＩと呼称されることもある。
【００６２】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【００６３】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【００６４】
本明細書は、２００５年２月２日出願の特願２００５−０２６３６７に基づく。この内容はすべてここに含めておく。
【産業上の利用可能性】
【００６５】
本発明のインタリーブパターン制御装置およびインタリーブパターン制御方法は、ＯＦＤＭ方式を適用した無線通信システムの基地局装置や移動局装置などに適用することができる。
【図面の簡単な説明】
【００６６】
【図１】本発明の一実施の形態に係る移動局装置の構成を示すブロック図
【図２】本発明の一実施の形態に係るインタリーバ選択部の構成を示すブロック図
【図３】本発明の一実施の形態に係るレピティション合成後のＳＮＲを示す図
【図４】本発明の一実施の形態に係るレピティション合成後のＳＮＲの分散値を示す図
【図５】本発明の一実施の形態に係る基地局装置の構成を示すブロック図
【図６】本発明の一実施の形態に係るユーザ多重信号を示す図
【図１】
0004663707.tif 000002
【図２】
0004663707.tif 000003
【図３】
0004663707.tif 000004
【図４】
0004663707.tif 000005
【図５】
0004663707.tif 000006
【図６】
0004663707.tif 000007